(57)【要約】    【課題】データベースに対する材料物性値の登録について利用者に主導権を持たせ、データベース登録のためのデータ編集やデータ加工という強力な支援をし、更に検索結果を解析ツールなどに直接入力可能として利用性を向上する。    【解決手段】  材料データベース処理用のサーバ１０は、材料名毎に材料物性情報を登録した材料データベース２０と、外部からの登録要求に伴って入力された材料物性情報をテキスト形式に変換してデータベースに登録する登録部２２と、外部からの検索要求に基づきデータベースから材料物性情報を検索し、検索結果をテキスト形式又は前記検索要求で指定されたデータ形式に変換して出力する検索部２４とを備える。検索部２２は、材料データベース２０から材料物性値を検索した際に、検索された材料物性情報のテキスト形式を検索要求を行ったクライアント側で使用する数値解析処理のデータ形式に変換して出力する。    【選択図】      図１
2005250527.tif 000002
【特許請求の範囲】
【請求項１】
材料名毎に材料物性情報を登録したデータベースと、
外部からの登録要求に伴って入力された材料物性情報をテキスト形式に変換して前記データベースに登録する登録部と、
外部からの検索要求に基づき前記データベースから材料物性情報を検索し、検索結果をテキスト形式又は前記検索要求で指定されたデータ形式に変換して出力する検索部と、
を備えたことを特徴とする材料データベース処理装置。
【請求項２】
請求項１記載の材料データベース処理装置に於いて、前記登録部は、前記クライアントからの登録要求に伴って材料物性値の特性グラフを含む画像データが入力された際に、前記画像データの編集処理によりグラフ曲線上の複数ポイントを示す二次元座標の数値列を生成して前記データベースに登録する画像データ編集部を備えたことを特徴とする材料データベース処理装置。
【請求項３】
請求項１記載の材料データベース処理装置に於いて、前記登録部は、前記クライアントからの登録要求に伴って二次元数値列による材料物性値の実測データが入力された際に、入力された実測データを演算処理等によりデータ変換した後に、測定に起因した誤差成分を除去して正しいデータに修正する実測データ加工部を備えたことを特徴とする材料データベース処理装置。
【請求項４】
外部からの登録要求に伴って入力された材料物性情報をテキスト形式に変換して前記データベースに登録する登録ステップと、
外部からの検索要求に基づき前記データベースから材料物性情報を検索し、検索結果をテキスト形式又は前記検索要求で指定されたデータ形式に変換して出力する検索ステップと、
を備えたことを特徴とする材料データベース処理方法。
【請求項５】
サーバを構成するコンピュータに、
外部からの登録要求に伴って入力された材料物性情報をテキスト形式に変換して前記データベースに登録する登録ステップと、
外部からの検索要求に基づき前記データベースから材料物性情報を検索し、検索結果をテキスト形式又は前記検索要求で指定されたデータ形式に変換して出力する検索ステップと、
を実行させることを特徴とするプログラム。
【発明の詳細な説明】
【技術分野】
【０００１】
本発明は、物理シミュレーションやコンピュータ支援設計で必要とする材料物性値をデータベースに登録して利用する材料データベース処理装置、方法及びプログラムに関し、特に、グラフ画像データや実測データであっても適切に登録して利用可能とする材料データベース処理装置、方法及びプログラムに関する。
【背景技術】
【０００２】
従来、構造、熱伝導、振動などの数値解析を実行する物理シミュレーションやコンピュータ支援による設計処理にあっては、対象となる材料の機械的性質や電気的性質を示す材料物性値が必要である。
【０００３】
このような材料物性値は、一般に、理科年表、カタログ、ＪＩＳ便覧、実測データなどから調べることができるが、その都度、必要とする物性値を個人的に調べていたのでは手間がかかり、信頼性にも欠けることから、材料物性値をデータベースに登録してサーバで一括管理することで、簡単に利用できるようにしたシステムが考えられている。
【特許文献１】特開平０８−１６６９７９号公報
【特許文献２】特開２００１−２２９１９１号公報
【特許文献３】特開２００２−０４９６４９号公報
【特許文献４】特開２００２−２９７９４２号公報
【発明の開示】
【発明が解決しようとする課題】
【０００４】
しかしながら、このような従来の材料物性値をデータベースに一括管理して利用するシステムにあっては、システムを構築する際にデータベースの作成に手間と時間がかかり、材料物性値を全て網羅することには無理がある。更に、利用者が必要とする材料物性値の動向を事細かく調べてデータベースを構築する必要があるが、これにも限度があり、必ずしも利用し易いデータベースが構築される保証がない。
【０００５】
またカタログ等に掲載されていない特殊な材料の場合は、材料物性データの入手が困難であり、利用する部門で材料を入手して物性値を測定しており、このような工数をかけて貴重なデータを採取しても、これがサーバの管理者にデータが届いてデータベースに登録されるようになるまでには、相当な時間がかかり、再利用されにくい問題がある。
【０００６】
また材料物性値は、カタログ等に数値データとして記載される以外に、例えば応力歪線図のようにグラフとして表示されていることが多く、このような材料の物性を示すグラフを画像としてデータベースに登録しても材料物性値としては利用できず、材料物性に関する情報資源が十分に活用できない問題がある。
【０００７】
更に、材料物性値を使用する解析ツールとして様々な解析プログラムが知られているが、いずれも材料物性値の入力に独自のフォーマットを必要とし、このためデータベースから取得した材料物性値を各解析ツールに適合したフォーマットに従って再度入力する操作を必要とし、同時に、材料物性値の単位についても、解析ツールの要求する単位系に合わせなければならず、材料物性値の入力に手間と時間がかかり、入力ミスも起し易いという問題がある。
【０００８】
本発明は、データベースに対する材料物性値の登録について利用者に主導権を持たせ、データベース登録のためのデータ編集やデータ加工という強力な支援を行い、更に検索結果を解析ツールなどに直接入力可能として利用性を向上する材料データベース処理装置、方法及びプログラムを提供することを目的とする。
【課題を解決するための手段】
【０００９】
図１は本発明の原理説明図である。本発明の材料データベース処理装置は、材料名毎に材料物性情報を登録した材料データベース２０と、外部からの登録要求に伴って入力された材料物性情報をテキスト形式に変換して材料データベース２０に登録する登録部２２と、外部からの検索要求に基づき材料データベース２０から材料物性情報を検索し、検索結果をテキスト形式又は検索要求で指定されたデータ形式に変換して出力する検索部２４とを備えたことを特徴とする。
【００１０】
ここで、材料データベース２０は、１つの材料物性情報として、材料を特定する基本情報、材料の機械的性質、材料の電気的性質を含み、更に、基本情報として、登録者氏名、登録日、材料名、単位系、元素記号、出典を含む。データベースは、１つの材料物性情報として、更に、情報の信頼度を確定する登録者以外の第三者が入力した認証情報を含む。
【００１１】
検索部２４は、材料データベース２０から材料物性値を検索した際に、検索された材料物性情報のテキスト形式を検索要求を行ったクライアント１２側で使用する数値解析処理のデータ形式に変換して出力する第1フォーマット変換部３４を備え、また登録部は、クライアント１２側で使用する数値解析処理で作成されたデータ形式の材料物性情報をテキスト形式に変換して材料データベース２０に登録する第２フォーマット変換部３０を備える。
【００１２】
登録部２２は、クライアント１２からの登録要求に伴って材料物性値の特性グラフを含む画像データが入力された際に、画像データの編集処理によりグラフ曲線上の複数ポイントを示す二次元座標の数値列を生成してデータベースに登録する画像データ編集部２６を備える。
【００１３】
記画像データ編集部２６は、例えば、クライアント１２で画面表示された画像データ中のグラフ曲線をなぞる編集入力に基づいて近似グラフ曲線を生成して補正した後にクライアント１２側でのグラフ曲線上の基準点の指定入力に基づいて二次元座標軸を設定し、Ｘ軸又はＹ軸上で等間隔に指定した補間間隔に対応したグラフ曲線上の複数ポイントの二次元座標値の数値列を生成して材料データベース２０に登録する。
【００１４】
登録部２２は、クライアント１２からの登録要求に伴って二次元数値列による材料物性値の実測データが入力された際に、入力された実測データを演算処理等によりデータ変換した後に、測定に起因した誤差成分を除去して正しい実測データに修正する実測データ加工部２８を備える。
【００１５】
登録部２２は、例えば、クライアント１２から材料試験片の荷重とストロークからなる二次元数値列の実測データが入力された際に、材料試験片における厚みと標点間距離を入力して歪と応力の二次元数値列に変換してクライアント１２側にグラフ曲線を画像表示し、グラフ曲線上の開始点の指定入力に基づいて補正歪と補正応力の二次元数値列を求めて歪と応力の二次元数値列を補正することにより真歪と真応力の二次元数値列を生成し、更に真歪と真応力の二次元数値列に基づく特性グラフをクライアント１２側に画像表示し、画像表示されたグラフ曲線上の複数のポイント指定入力に対応する歪と応力の二次元数値列を生成して材料データベース２０に登録する。
【００１６】
登録部２２は、クライアント１２からの登録要求に伴って材料物性の実測データとして実測特性グラフを含む画像データが入力された際に、画像データの編集処理によりグラフ曲線上の複数ポイントを示す二次元座標の数値列を生成する画像データ編集部２６と、画像データ編集部２６で生成された二次元座標の数値列を演算処理等により他の物性データに変換した後に、誤差成分を除去して正しい数値列に修正して材料データベース２０に登録する実測データ加工部２８とを備える。
【００１７】
検索部２４は、データベース２０から検索された材料物性値の単位をクライアント１２側で指定した単位に変換して検索結果を出力する単位系変換部３２を備える。
【００１８】
本発明は、材料データベース処理方法を提供する。本発明の材料データベース処理方法は、
外部からの登録要求に伴って入力された材料物性情報をテキスト形式に変換してデータベースに登録する登録ステップと、
外部からの検索要求に基づきデータベースから材料物性情報を検索し、検索結果をテキスト形式又は前記検索要求で指定されたデータ形式に変換して出力する検索ステップと、
を備えたことを特徴とする。
【００１９】
本発明は、サーバを構成するコンピュータにより実行される材料データベース処理のプログラムを提供する。本発明のプログラムは、コンピュータに、
外部からの登録要求に伴って入力された材料物性情報をテキスト形式に変換してデータベースに登録する登録ステップと、
外部からの検索要求に基づきデータベースから材料物性情報を検索し、検索結果をテキスト形式又は前記検索要求で指定されたデータ形式に変換して出力する検索ステップと、
を実行させることを特徴とする。
【００２０】
本発明による材料データベース処理方法及びプログラムの詳細は、材料データベース処理装置と基本的に同じになる。
【発明の効果】
【００２１】
本発明によれば、データベースに対する物性情報の登録はクライアント側となる利用者からの入力に依存しているため、基本的な材料物性情報については、システム立ち上げ時にデータベースに登録されているが、利用者が特殊な材料や新規な材料について物性情報を入手した場合には、利用者の権限でデータベースに登録して利用させることができ、利用者が必要とする材料物性情報のデータベースがシステムの利用を通じて効率的且つ迅速に構築され、データベースを構築するための管理者側の負担が大幅に低減される。
【００２２】
またデータベースに登録された材料物性情報に対し第三者の評価を示す認証情報が登録でき、認証登録があることで、その材料物性情報の信頼性が保証され、利用者にデータベースの登録権限を持たせていても、登録データの信頼性が損なわれることを回避できる。
【００２３】
また材料特性を示すグラフ画像に対し、グラフ曲線画像の編集処理により二次元数値列を生成する支援機能があるため、利用者が入手した有益と思われる特性グラフ画像から対応する材料物性値を自動生成してデータベースに登録して利用を図ることができる。
【００２４】
また特殊な材料について利用者が取得した実測データについても、実測データの入力に対する誤差を自動修正してデータベースに登録するデータ加工の支援機能により、実測データに基づく貴重な材料物性情報をデータベースに登録して広く活用できる。
【００２５】
更に、データベースの登録はテキスト形式に変換して行っており、解析ツールに対する検索結果についてはテキスト形式からツール固有のデータ形式にフォーマット変換して出力でき、検索結果をそのまま解析ツールに材料物性値として入力でき、解析データを入力するための処理時間が短縮できる。
【００２６】
また解析ツールの処理結果として得られた材料物性情報をデータベースに登録する際には、ツール固有のデータ形式から逆にテキスト形式に変換されてデータベースに登録され、材料物性情報の登録が簡単にできる。
【００２７】
更に、データベースの検索結果の出力につき、検索要求で指定された単位系に自動変換されるため、解析ツールに入力するための処理時間が短縮できる。
【発明を実施するための最良の形態】
【００２８】
図２は、本発明による材料データベース処理システムの実施形態を示したブロック図である。図２において、本発明の材料データベース処理システムは、サーバ１０と、これにインターネットなどのネットワーク１４を介して接続された複数のクライアント１２で構成される。
【００２９】
サーバ１０には、通信制御部１６、データベース処理部１８及び材料データベース２０が設けられている。データベース処理部１８には登録部２２と検索部２４の機能が設けられる。
【００３０】
更に登録部２２には、画像データ編集部２６、実測データ加工部２８、更に第２フォーマット変換部３０の機能が設けられる。また検索部２４には、単位系変換部３２と第１フォーマット変換部３４の機能が設けられる。
【００３１】
一方、クライアント１２側にはＷＷＷブラウザ３６と、必要に応じて数値解析ツール３８が設けられている。サーバ１０のシステムに対し会員登録を行っているユーザは、クライアント１２のＷＷＷブラウザ３６により材料物性データの登録や検索を行う。
【００３２】
数値解析ツール３８は、サーバ１０のアクセスで取得した材料物性データを用いて物理的なシミュレーションやコンピュータ支援による設計処理等を行うアプリケーションプログラムであり、例えば１つの数値解析ツールの中で、構造解析、熱伝導解析、振動解析などの複数種類の解析ジャンル（解析プロシージャ）を持つ場合もある。
【００３３】
サーバ１０に設けたデータベース処理部１８の登録部２２は、クライアント１２からの登録要求に伴って入力された材料物性データをテキスト形式に変換して、材料データベース２０に登録する。このクライアント１２側からの材料物性データの材料データベース２０に対する登録処理を支援する機能として、画像データ編集部２６、実測データ加工部２８及び第２フォーマット変換部３０が設けられている。
【００３４】
材料データベース２０に対する材料物性データの登録は特定の材料名を指定して行うことができ、材料物性値データとしては直接、数値をテキスト形式で入力して登録する場合もあるが、本発明にあってはクライアント１２側からグラフ画像データを入力したり実測データを入力した場合にも、これを処理して材料データベース２０に登録できるようにしている。
【００３５】
また、クライアント１２に設けている数値解析ツール３８で生成した材料物性データについては、数値解析ツール３８に固有なフォーマット形式のデータであることから、これについては第２フォーマット変換部３０でテキスト形式に変換して材料データベース２０に登録することになる。
【００３６】
画像データ編集部２６は、クライアント１２からの材料物性データの登録要求に伴って材料物性値の特性グラフを含む画像データが入力された際に、クライアント３６における画像データの表示に対する編集操作に伴う編集処理を受け、グラフ曲線上の複数ポイントを示す二次元座標の数値列を生成して材料データベース２０に登録する。
【００３７】
実測データ加工部２８は、クライアント１２からの登録要求に伴って二次元数値列、例えばエクセル形式の数値データによる材料物性の実測データが入力された際に、実測データに所定の演算などの加工処理を施して別の材料物性データに変換し、更に測定に起因した誤差成分を除去して正しい実測データに修正して、材料データベース２０に登録する。
【００３８】
例えば実測データとして、ある材料の試験片についてのストロークと荷重の二次元数値列が入力された場合に、これに試験片の形状を入力して実測データを歪みと応力に変換するデータ加工を行い、且つ測定による誤差分を除去して正しいデータを生成する。
【００３９】
一方、検索部２４に設けた単位系変換部３２は、材料データベース２０から検索された材料物性データの単位を、クライアント１２に設けている数値解析ツール３８に依存して指定した単位系に変換して、検索結果を出力する。本発明にあっては、材料データベース２０のテキスト形式による登録データについてはＭＫＳ単位系としており、必要に応じてＭＫＳ単位系をＳＩ単位系（システムインターナショナルユニット）もしくは他の単位系に変換する。
【００４０】
また単位系変換部３２は、変換後の単位系において例えば単位がメートル単位であったものを、数値解析ツール３８側で要求される単位、例えばミリメートル単位に単位をそろえる単位統一処理も併せて行う。
【００４１】
第１フォーマット変換部３４は、材料データベース２０の検索結果として得られた材料物性データのテキスト形式であることから、このとき検索要求を行っているクライアント１２側の数値解析ツール３８に入力可能なフォーマット形式に自動的に変換して検索結果を応答する。
【００４２】
図２におけるサーバ１０は、例えば図３のようなコンピュータのハードウェア資源により実現される。図３のコンピュータにおいて、ＣＰＵ１０１のバス１０２にはＲＡＭ１０５、ハードディスクコントローラ（ソフト）１０４、フロッピィディスクドライバ（ソフト）１１０、ＣＤ−ＲＯＭドライバ（ソフト）１１４、マウスコントローラ１１８、キーボードコントローラ１２２、ディスプレイコントローラ１２６、通信用ボード１３０が接続される。
【００４３】
ハードディスクコントローラ１０４はハードディスクドライブ１０６を接続し、本発明の材料物性データベース処理を実行するプログラムをローディングしており、コンピュータの起動時にハードディスクドライブ１０６から必要なプログラムを呼び出して、ＲＡＭ１０２上に展開し、ＣＰＵ１０１により実行する。
【００４４】
フロッピィディスクドライバ１１０にはフロッピィディスクドライブ（ハード）１１２が接続され、フロッピィディスク（Ｒ）に対する読み書きができる。ＣＤ−ＲＯＭドライバ１１４に対しては、ＣＤドライブ（ハード）１１６が接続され、ＣＤに記憶されたデータやプログラムを読み込むことができる。
【００４５】
マウスコントローラ１１８はマウス１２０の入力操作をＣＰＵ１０１に伝える。キーボードコントローラ１２２はキーボード１２４の入力操作をＣＰＵ１０１に伝える。ディスプレイコントローラ１２６は表示部１２８に対して表示を行う。通信用ボード１３０は無線を含む通信回線１３２を使用し、ネットワーク内の装置や外部のインターネット上の装置との間で通信を行う。
【００４６】
図４は、図２の材料データベース２０に登録された材料物性データの説明図である。図４において、材料物性データ４０は、１つの材料ごとに作成されてデータベース２０に登録され、登録後においては必要に応じて修正、削除をすることもできる。
【００４７】
材料物性データ４０は、基本情報４２、機械的性質４４、電気的性質４６及びその他の性質４８で構成されている。基本情報４２は右側に取り出して示すように、登録者氏名、登録日、材料名、単位系、記号、ＩＤ、出典、コメント、認証情報、参照回数を含んでいる。
【００４８】
このうち認証情報は、登録者以外の認証権限を持つ第三者が、この材料物性情報を閲覧し、その内容が間違いないものであるとの確証を持った場合には、認証フラグをセットすることになる。また参照回数は、この材料物性情報４０に対するユーザのアクセス回数をカウントして示している。したがって検索者は、検索された材料物性データ４０の基本情報４２の中の認証情報や参照回数を見ることで、この情報の確からしさを知ることができる。また、参照回数に応じて色や濃度を変えて表示させることも可能である。
【００４９】
機械的性質４４は右側に取り出して示すように、引張強さ、縦弾性係数、横弾性係数などの登録項目が準備される。更に電気的性質４６についても、右側に取り出して示すように、電気抵抗、磁気抵抗、誘電率などが項目として取り出されている。更に、材料物性データ４０に登録される機械的性質４４や電気的性質４６などの物性値は、特定の物性値に限らず、例えば応力に対する歪みといった２つの異なる材料物性値の関係を示す二次元数値配列を含むものである。
【００５０】
図５は、図２のサーバ１０に対しクライアント１２側から行うユーザ登録に使用するユーザ登録画面の説明図である。本発明のシステムを利用しようとするユーザは、このユーザ登録画面５０を使用してサーバ１０にアクセスすることで、ユーザ名、ログインＩＤ、パスワード、所属、Ｅメール、権限などを入力し、会員登録を行うことで、システムを利用することができる。
【００５１】
図６は、図２のシステムにおける材料物性データ登録のためのサーバとクライアントの処理を示したフローチャートである。図６において、クライアント１２は、ステップＳ１で図７のようなログイン画面５２を開いて、ＩＤとパスワードを入力してサーバ１０にログインする。
【００５２】
このクライアント１２からのログイン要求を受けてサーバ１０は、登録ユーザを検索して照合し、ステップＳ１０１で利用者認証応答を返す。即ち、登録利用者であれば認証ＯＫであり、未登録利用者であれば認証ＮＧを返す。クライアント１２は、ステップＳ２で認証ＯＫが得られれば、ステップＳ３に進み、新規材料登録要求をサーバ１０に対し行う。
【００５３】
新規材料登録要求は、図７のログイン画面５２の左側に示す「新規登録」のボタンをクリックすることで行う。この新規材料登録要求を受けてサーバ１０は、ステップＳ１０２で、図８乃至図１１に示すような登録入力画面５４−１〜５４−３をクライアント１２に送り、これに対しクライアント１２は、ステップＳ４で必要な登録データを入力してサーバ１０に送信する。
【００５４】
図８の先頭の登録入力画面５４−１は基本情報の入力画面であり、登録者氏名、登録日、材料名、単位系、記号、ＩＤ、出典などを必要に応じて記入する。続いて図９の登録入力画面５４−２を開き、機械的性質の入力を行う。この登録入力画面５４−２にあっては、入力した基本情報の入力内容確認の表示が行われている。例えば登録者氏名は「テスト１」であり、登録日は「２００３／０９／１８」であり、単位系は「ＳＩ単位系」を入力している。
【００５５】
次に図１０の登録入力画面５４−２に進み、この材料につきユーザが得ている機械的性質を示す材料物性値として、引張強さ、縦弾性係数、横弾性係数等の数値を入力する。更に図１１の登録入力画面５４−３に進み、電気的性質として対応する材料物性値を入力することになる。
【００５６】
再び図６を参照するに、このようなクライアント１２からの登録データの入力による送信を受けたサーバ１０は、ステップＳ１０３でこの登録データを受信し、ステップＳ１０４で編集または加工の要求があるか否かチェックする。ここで、登録した入力データについて編集や加工の要求があれば、ステップＳ１０５で編集または加工処理を実行して、登録すべき材料物性データを生成する。
【００５７】
ステップＳ１０５におけるサーバ１０の編集加工処理は、クライアント１２のステップＳ５に示すように、編集または加工対象となるデータをクライアント１２側に表示して、表示データに対する編集または加工のためのマウスによる入力操作に基づいて実行される。
【００５８】
続いてサーバ１０は、ステップＳ１０６で、入力されたそのままのデータまたは編集加工で得られたデータを新規データとして、材料データベース２０にテキスト形式で登録する。登録が済むと、ステップＳ１０７で登録完了通知がクライアント１２に行われ、これを受けてクライアント１２は、ステップＳ６で登録完了通知を認識して処理を終了する。
【００５９】
図１２は、図２のシステムにおける材料物性データ検索のためのサーバとクライアントの処理を示したフローチャートである。図１２において、クライアント１０は、ステップＳ１で図７のようなログイン画面５２を使用してＩＤとパスワードを入力してサーバ１０に対しログインし、サーバ１０はステップＳ１０１で利用者認証応答を返す。
【００６０】
クライアント１２がステップＳ２で認証ＯＫを受信すると、ステップＳ３でサーバ１０に対し検索要求を行う。この検索要求は、図７のログイン画面５２の左側の「検索」のボタンをマウスでクリックすることで行う。
【００６１】
クライアント１２からの検索要求を受けたサーバ１０は、ステップＳ１０２で図１３のような検索入力画面をクライアント１２に送信して表示させる。この検索入力画面５６が表示されることで、クライアント１２はステップＳ４で検索情報を入力して送信する。
【００６２】
検索情報としては材料名を少なくとも指定すれば検索できるが、それ以外に検索に必要な適宜のキーワードを入力することもできる。この検索情報を受けたサーバ１０は、ステップＳ１０３で材料データベース２０の検索処理を実行し、検索結果が得られたならば、ステップＳ１０４で検索データの単位系変換を行う。この単位系の変換は、検索要求に伴って指定された単位系あるいはクライアント１２側に設けている数値解析ツール３８に依存して決まる単位系の変換となる。
【００６３】
次にステップＳ１０５で検索データのフォーマット変換を行う。データベース２０から検索された材料物性データはテキスト形式であることから、検索要求元のクライアント１２に設けている数値解析ツール３８に適合したフォーマット形式への変換を行う。
【００６４】
そしてステップＳ１０６で単位系の変換及びフォーマット変換の済んだ検索データを検索結果としてクライアント１２に送信する。これを受けてクライアント１２は、ステップＳ５で検索結果を受信して自分の数値解析ツール３８に材料物性データを入力する。
【００６５】
図１４は図１２のサーバ１０のステップＳ１０３のデータベース検索処理で得られた検索出力画面５８であり、検索結果として基本情報、機械的性質、電気的性質、その他の性質が、材料物性データとして取得できる。この例では、材料名「亜鉛」に対しヤング率と線膨張係数が機械的性質を示す材料物性データとして得られている。
【００６６】
図１５は、図２のサーバにおける単位系変換処理のフローチャートであり、サーバ１０のデータベース処理部１８における検索部２４に設けた単位系変換部３２の処理機能となる。
【００６７】
この単位系変換処理にあっては、材料データベース２０の検索データを対象に、ステップＳ１でクライアントからの検索要求に伴う要求単位系はＭＫＳか否かチェックし、ＭＫＳであれば、ステップＳ２で検索材料物性データをＭＫＳ単位系に変換する。またステップＳ３で要求単位系がＳＩであった場合には、ステップＳ４で検索材料物性データをＳＩ単位系に変換する。
【００６８】
図１６は、図１５の単位系変換処理で得られたＭＫＳ／ＳＩ単位系変換データ６０の一例である。なお、この単位系変換データにあっては、Ｋ（キロ）やＭ（メガ）などの記号は、１０3や１０6に直すことになる。
【００６９】
図１７は、図２のサーバ１０における他の単位系変換処理のフローチャートであり、この単位系変換処理にあっては単位系を統一する変換を行うようにしたことを特徴とする。即ち、クライアント１２の数値解析ツール３８にあっては、数値解析を行う解析ジャンルが例えば構造解析、熱伝導解析、振動解析などの解析プロシジャーごとに必要な材料物性データが決まり、材料物性データを材料データベース２０から検索した状態で自動的に単位系を揃えるように単位系の統一処理を行い、同時に不足のデータがあればその入力を要求している。
【００７０】
即ち図１７の単位系変換処理にあっては、ステップＳ１で解析ジャンルの単位系を認識し、ステップＳ２で検索された材料物性データを解析ジャンルの単位系に統一する。例えば解析ジャンルとして振動解析を例に取ると、図１８の単位系統一データ６２に示すように、材料データベース２０の検索で得られた必要密度がメートル単位となっているものを、振動解析で要求されるミリメートル単位に単位を揃えるように変換する。
【００７１】
再び図１７を参照するに、ステップＳ２で解析ジャンルの単位系への単位統一処理が済んだならば、ステップＳ３で検索された材料物性データに不足があるか否かチェックし、不足があればステップＳ４で不足データの入力を要求する。これを受けて、ユーザは材料データベース２０の再検索あるいは別の文献やネットワーク上のホームページを調べることで不足データを取得して入力し、ステップＳ５で不足データの入力が判別されると、ステップＳ６に進み、単位系変換済みの検索された材料物性データをクライアント１２に応答出力することになる。
【００７２】
図１９は、図２のサーバ１０におけるフォーマット変換処理のフローチャートである。図２のサーバ１０にあっては、テキスト形式を数値解析ツール３８のフォーマット形式に変換する第１フォーマット変換部３４と、逆に数値解析ツール３８のフォーマット形式をテキスト形式に変換する第２フォーマット変換部３０に分けて説明しているが、実際のプログラム構造としては、図１９のように１つのフォーマット変換処理として実現されており、これが登録処理または検索処理の際に利用されることになる。
【００７３】
図１９において、フォーマット変換は、まずステップＳ１でデータベース登録か否かチェックし、データベース登録であれば、ステップＳ２で登録データを入力し、ステップＳ３で取得データのフォーマット形式をテキスト形式に変換し、ステップＳ４でデータベースに登録する。
【００７４】
一方、ステップＳ５でデータベース検索であった場合には、ステップＳ６で検索処理により得られた検索データを入力し、ステップＳ７で検索データのテキスト形式を要求先のフォーマット形式に変換し、ステップＳ８で変換済みの検索データをクライアント側に出力する。
【００７５】
図２０は、図１９のフォーマット変換処理による変換が行われる材料物性データをテキスト形式と数値解析ツール３８側のフォーマット形式で示した説明図である。図２０（Ａ）は材料データベース２０に登録されるテキスト形式データ６４であり、この例では機械的物性値としてヤング率、ポアソン比、熱膨張係数及び質量密度の４つを例に取っている。
【００７６】
図２０（Ｂ）は数値解析ツール３８として知られたＡＢＡＱＵＳ（Ｒ）で使用されるＡＢＡＱＵＳ変換フォーマットデータ６６の説明図である。この数値解析ツールであるＡＢＡＱＵＳ（Ｒ）は、ＨＫＳ社製の汎用非線形有限要素解析プログラムであり、機械、建設、土木、化学、関連エンジニアリング分野における応力、熱伝導解析などを実行する。
【００７７】
図２０（Ｃ）は数値解析ツール３８としてＬＳ−ＤＹＮＡ（Ｒ）に使用されるＬＳ−ＤＹＮＡ変換フォーマットデータ６８の説明図である。このＬＳ−ＤＹＮＡは米国ＬＳＤＣ社製であり、溶解法による動的応答解析を中心に陰解法による静解析も１つのコードで扱えるＦＥＭベースのＣＡＥソフトである。例えば自動車の衝突、携帯電話、ノートパソコン、テレビなどの電気製品の落下、プレス成型、鍛造、ブロー成型などの動的応答解析を実行する。
【００７８】
更に図２０（Ｄ）は、数値解析ツールであるＡＤＩＮＡ（Ｒ）で使用されるＡＤＩＮＡ変換フォーマットデータ７０の説明図である。このＡＤＩＮＡは、マサチューセッツ工科大学のＫ・Ｊ・Ｂａｔｈｅ教授の研究成果に基づき、ＡＤＩＮＡ  Ｒ＆Ｄ社で開発された非線形ＣＡＥプログラムであり、材料非線形や台変形、接触解析などに非常に有効なプログラムである。例えば自動車の圧縮破壊解析、橋梁の受信応答解析、ゴムブーツの接触解析などに利用される。
【００７９】
この図２０（Ａ）のデータベース検索で得られたテキスト形式データ６４は、検索要求を行ったクライアント１２に設けている数値解析ツール３８に応じ、例えば図２０（Ｂ）（Ｃ）（Ｄ）のような対応するフォーマットデータ６６，６８，７０に変換して出力され、クライアント側にあっては材料データベースの検索結果をそのまま数値解析ツールに入力して、必要な数値解析処理を実行することができる。
【００８０】
一方、クライアント１２側で数値解析ツール３８の実行により得られた材料の物性データを材料データベース２０に新規登録するような場合には、図２０（Ｂ）〜（Ｄ）の各数値解析ツール３８に適合した形式のフォーマットデータ６６，６８，７０がサーバ１０に送られることになるが、これはサーバ１０の登録部２２に設けている第２フォーマット変換部３０によりバイナリーのフォーマット形式からテキスト形式に変換されて材料データベース２０に登録されることになる。
【００８１】
なお、クライアント１２のＷＷＷブラウザ３６における材料物性データの表示は、テキスト形式に従った表示となることはもちろんである。
【００８２】
図２１は、図２のサーバ１０における画像データ編集処理のフローチャートである。図２１において、画像データ編集処理は、ステップＳ１でクライアント１２からの登録要求に伴って送られた画像データを取り込む。この画像データは、例えば図２２（Ａ）に示すようなＸ軸及びＹ軸にある材料物性値を示したグラフ曲線７４を持つ入力画像データ７２である。
【００８３】
編集対象となる画像データは、クライアント１２のＷＷＷブラウザ３６により画面表示されており、サーバ１０はクライアント１２に対し表示された画像データのグラフ曲線をマウスでなぞることを要求する。このため、ステップＳ２でクライアントからのグラフ曲線をなぞるマウス入力データをサーバ１０は受け、この入力データから図２２（Ｂ）に示すような近似曲線を作成する。
【００８４】
続いてステップＳ３で、マウス入力に基づく近似曲線は歪みがあることからグラフ曲線を滑らかにするような適宜の補正処理を行う。次にステップＳ４でサーバ１０の要求に対しユーザが図２２（Ｂ）のようにグラフ曲線７４のゼロ点７５をマウスなどにより指定すると、このクライアントからのマウスで指定されたゼロ点７５に二次元座標を図２２（Ｃ）のＸＹ座標のように設定する。
【００８５】
次にステップＳ５で補間等間隔はＸ方向指定か否かチェックする。Ｘ方向指定であればステップＳ６に進み、図２２（Ｃ）に示すようにＸ方向補間等間隔指定により補正済みグラフ曲線７６上のポイントを作成する。
【００８６】
一方、ステップＳ７で補間等間隔がＹ方向指定であった場合には、ステップＳ８でＹ方向補間等間隔指定によりグラフ曲線上のポイントを作成する。そして最終的に、ステップＳ９で例えば図２２（Ｃ）のようにＸ方向の補間等間隔指定により得られた補正済みグラフ曲線７６上の全ポイントの二次元座標の数値列７８を生成し、一連の画像データ編集処理を終了して、生成した二次元座標数値列７８を材料データベース２０にテキスト形式で登録することになる。
【００８７】
図２３は、図２のサーバにおける実測データ加工処理のフローチャートである。この実測データ加工処理は、ある材料について測定された２つの材料物性値のエクセル形式の数値列データを実測データとして入力し、この入力データに所定のパラメータを用いて別の材料物性値へ変換するデータ加工を施し、更に実測の際に得られた誤差を取り除くような処理を行って、必要とするデータベース登録のための二次元数値列を生成する。
【００８８】
図２３のフローチャートにおける実測データ加工処理にあっては、荷重とストロークを入力して応力と歪みに変換した後に、最終的に降伏応力と塑性歪みの関係を示す二次元数値列を生成して出力する場合を例に取っている。
【００８９】
図２３において、まずステップＳ１で測定結果としてストロークと荷重をエクセル形式で入力する。即ち、図２４の初期入力データ８０に示す実測データを入力する。次にステップＳ２で、試験片形状として例えば厚みと標点間距離を入力する。
【００９０】
次にステップＳ３で実測データとして入力した初期入力データ８０に試験片形状として入力した厚みと標点間距離を適用することで、歪みと応力の変換データ８２に変換し、これを図２４の変換データ８２の下側に示すように、クライアント１２側にグラフ表示８４として表示させる。
【００９１】
次にステップＳ４で、クライアント１２側におけるマウス操作によるグラフ曲線８５上のゼロ点８６の指定操作を認識し、これを受けて補正歪みと補正応力を求めた補正データ８８を生成する。
【００９２】
次にステップＳ６で、補正歪みから真歪みを、また補正応力から真応力を計算して、真データ９０を表示する。続いてステップＳ６で真歪みと真応力からヤング率を例えば歪み０．００５の範囲で計算して表示させる。
【００９３】
続いてステップＳ７で、塑性以降の真応力と塑性応力としての塑性歪みの関係を示す加工データ９２につき、その下側に示すようにグラフ表示９４をクライアント１２側に対し行う。このグラフ表示９４にあっては、加工データ９２の降伏応力及び塑性歪みの二次元数値列から得られた降伏応力−塑性歪みの二次元座標におけるプロット点を順番に結んだグラフ曲線を補間したグラフ線図を表示することになる。
【００９４】
次にステップＳ８で、図２５のグラフ表示９８を対象にクライアント１２側でグラフ曲線９６に対し例えば１０乃至２０個の指定ポイントを入力する処理が行われることから、これを受けてステップＳ９でグラフ曲線９６上に指定ポイントを表示し、更にステップＳ１０で指定ポイントの二次元座標値である塑性歪みと塑性応力の二次元数値列１００を生成して表示し、この二次元数値列１００を最終的にテキストデータとして材料データベース２０に登録する。
【００９５】
ここで図２３の実測データ加工処理にあっては、ユーザが実測した例えばストロークと荷重をエクセル形式の初期入力データ８０として入力した場合を例にとっているが、この初期入力とする実測データを、図２１に示した画像データ編集処理により取得するようにしてもよい。
【００９６】
即ち、ある材料につきユーザがグラフ画像データとして荷重に対するストロークの特性グラフを取得していた場合には、この特性グラフを画像データとしてクライアント１２からサーバ１０に送ることで、グラフ画像データを対象に画像データ編集処理により図２４の初期入力データ８０に示すようなエクセル形式の二次元数値列、即ち荷重に対するストロークの対応関係の二次元数値列が自動的に作成され、これを実測データとして実測データ加工処理を行うことになる。
【００９７】
即ち実測データ加工処理は、ユーザが実際に測定した実測データのみならず、グラフ特性の形で存在する数値化されていない実測データについても、画像データ編集処理を経ることで、実測した実測データの二次元数値列に変換して必要なデータ加工処理を行うことができる。
【００９８】
なお本発明は上記の実施形態に限定されず、その目的と利点を損なうことのない適宜の変形を含む。また本発明は上記の実施形態に示した数値による限定は受けない。
【００９９】
ここで本発明の特徴を列挙すると次の付記のようになる。
（付記）
（付記１）
材料名毎に材料物性情報を登録したデータベースと、
外部からの登録要求に伴って入力された材料物性情報をテキスト形式に変換して前記データベースに登録する登録部と、
外部からの検索要求に基づき前記データベースから材料物性情報を検索し、検索結果をテキスト形式又は前記検索要求で指定されたデータ形式に変換して出力する検索部と、
を備えたことを特徴とする材料データベース処理装置。（１）
【０１００】
（付記２）
付記１記載の材料データベース処理装置に於いて、前記データベースは、１つの材料物性情報として、材料を特定する基本情報、材料の機械的性質、材料の電気的性質を含み、更に、前記基本情報として、登録者氏名、登録日、材料名、単位系、元素記号、出典を含むことを特徴とする材料データベース処理装置。
【０１０１】
（付記３）
付記１記載の材料データベース処理装置に於いて、前記データベースは、１つの材料物性情報として、更に、情報の信頼度を確定する登録者以外の第三者が入力した認証情報を含むことを特徴とする材料データベース処理装置。
【０１０２】
（付記４）
付記１記載の材料データベース処理装置に於いて、
前記検索部は、前記データベースから材料物性値を検索した際に、検索された材料物性情報のテキスト形式を検索要求を行ったクライアント側で使用する数値解析処理のデータ形式に変換して出力する第1フォーマット変換部を備え、
前記登録部は、クライアント側で使用する数値解析処理で作成されたデータ形式の材料物性情報をテキスト形式に変換して前記データベースに登録する第２フォーマット変換部を備えたことを特徴とする材料データベース処理装置。
【０１０３】
（付記５）
付記１記載の材料データベース処理装置に於いて、前記登録部は、前記クライアントからの登録要求に伴って材料物性値の特性グラフを含む画像データが入力された際に、前記画像データの編集処理によりグラフ曲線上の複数ポイントを示す二次元座標の数値列を生成して前記データベースに登録する画像データ編集部を備えたことを特徴とする材料データベース処理装置。（２）
【０１０４】
（付記６）
付記５記載の材料データベース処理装置に於いて、前記画像データ編集部は、前記クライアントで画面表示された画像データ中のグラフ曲線をなぞる編集入力に基づいて近似グラフ曲線を生成して補正した後にクライアント側でのグラフ曲線上の基準点の指定入力に基づいて二次元座標軸を設定し、Ｘ軸又はＹ軸上で等間隔に指定した補間間隔に対応したグラフ曲線上の複数ポイントの二次元座標値の数値列を生成して前記データベースに登録することを特徴とする材料データベース処理装置。
【０１０５】
（付記７）
付記１記載の材料データベース処理装置に於いて、前記登録部は、前記クライアントからの登録要求に伴って二次元数値列による材料物性値の実測データが入力された際に、入力された実測データを演算処理等によりデータ変換した後に、測定に起因した誤差成分を除去して正しいデータに修正する実測データ加工部を備えたことを特徴とする材料データベース処理装置。（３）
【０１０６】
（付記８）
付記７記載の材料データベース処理装置に於いて、前記登録部は、前記クライアントから材料試験片の荷重とストロークからなる二次元数値列の実測データが入力された際に、前記材料試験片における厚みと標点間距離を入力して歪と応力の二次元数値列に変換してクライアント側にグラフ曲線を画像表示し、前記グラフ曲線上の開始点の指定入力に基づいて補正歪と補正応力の二次元数値列を求めて前記歪と応力の二次元数値列を補正することにより真歪と真応力の二次元数値列を生成し、更に真歪と真応力の二次元数値列に基づく特性グラフをクライアント側に画像表示し、画像表示されたグラフ曲線上の複数のポイント指定入力に対応する歪と応力の二次元数値列を生成して前記データベースに登録することを特徴とする材料データベース処理装置。
【０１０７】
（付記９）
付記１記載の材料データベース処理装置に於いて、前記登録部は、
前記クライアントからの登録要求に伴って材料物性の実測データとして実測特性グラフを含む画像データが入力された際に、前記画像データの編集処理によりグラフ曲線上の複数ポイントを示す二次元座標の数値列を生成する画像データ編集部と、
前記画像データ編集部で生成された二次元座標の数値列を演算処理等により他の物性データに変換した後に、測定に起因した誤差成分を除去して正しいデータに修正して前記データベースに登録する実測データ加工部と、
を備えたことを特徴とする材料データベース処理装置。
【０１０８】
（付記１０）
付記１記載の材料データベース処理装置に於いて、前記検索部は、前記データベースから検索された材料物性値の単位をクライアント側で指定した単位に変換して検索結果を出力する単位系変換部を備えたことを特徴とする材料データベース処理装置。
【０１０９】
（付記１１）
外部からの登録要求に伴って入力された材料物性情報をテキスト形式に変換して前記データベースに登録する登録ステップと、
外部からの検索要求に基づき前記データベースから材料物性情報を検索し、検索結果をテキスト形式又は前記検索要求で指定されたデータ形式に変換して出力する検索ステップと、
を備えたことを特徴とする材料データベース処理方法。（４）
【０１１０】
（付記１２）
付記１１記載の材料データベース処理方法に於いて、前記登録ステップは前記データベースに登録する１つの材料物性情報として、材料を特定する基本情報、材料の機械的性質、材料の電気的性質を含み、更に、前記基本情報として、登録者氏名、登録日、材料名、単位系、元素記号、出典を含むことを特徴とする材料データベース処理方法。
【０１１１】
（付記１３）
付記１１記載の材料データベース処理方法に於いて、前記登録ステップは前記データベースに登録する１つの材料物性情報として、更に、情報の信頼度を確定する登録者以外の第三者が入力した認証情報を含むことを特徴とする材料データベース処理方法。
【０１１２】
（付記１４）
付記１１記載の材料データベース処理方法に於いて、
前記検索ステップは、前記データベースから材料物性値を検索した際に、検索された材料物性情報のテキスト形式を検索要求を行ったクライアント側で使用する数値解析処理のデータ形式に変換して出力し、
前記登録ステップは、クライアント側で使用する数値解析処理で作成されたデータ形式の材料物性情報をテキスト形式に変換して前記データベースに登録することを特徴とする材料データベース処理方法。
【０１１３】
（付記１５）
付記１１記載の材料データベース処理方法に於いて、前記登録ステップは、前記クライアントからの登録要求に伴って材料物性値の特性グラフを含む画像データが入力された際に、前記画像データの編集処理によりグラフ曲線上の複数ポイントを示す二次元座標の数値列を生成して前記データベースに登録する画像データ編集ステップを備えたことを特徴とする材料データベース処理方法。
【０１１４】
（付記１６）
付記１５記載の材料データベース処理方法に於いて、前記画像データ編集ステップは、前記クライアントで画面表示された画像データ中のグラフ曲線をなぞる編集入力に基づいて近似グラフ曲線を生成して補正した後にクライアント側でのグラフ曲線上の基準点の指定入力に基づいて二次元座標軸を設定し、Ｘ軸又はＹ軸上で等間隔に指定した補間間隔に対応したグラフ曲線上の複数ポイントの二次元座標値の数値列を生成して前記データベースに登録することを特徴とする材料データベース処理方法。
【０１１５】
（付記１７）
付記１１記載の材料データベース処理方法に於いて、前記登録ステップは、前記クライアントからの登録要求に伴って二次元数値列による材料物性値の実測データが入力された際に、入力された実測データを演算処理等によりデータ変換した後に、測定に起因した誤差成分を除去して正しい実測データに修正する実測データ加工ステップを備えたことを特徴とする材料データベース処理方法。
【０１１６】
（付記１８）
付記１７記載の材料データベース処理方法に於いて、前記登録ステップは、前記クライアントから材料試験片の荷重とストロークからなる二次元数値列の実測データが入力された際に、前記材料試験片における厚みと標点間距離を入力して歪と応力の二次元数値列に変換してクライアント側にグラフ曲線を画像表示し、前記グラフ曲線上の開始点の指定入力に基づいて補正歪と補正応力の二次元数値列を求めて前記歪と応力の二次元数値列を補正することにより真歪と真応力の二次元数値列を生成し、更に真歪と真応力の二次元数値列に基づく特性グラフをクライアント側に画像表示し、画像表示されたグラフ曲線上の複数のポイント指定入力に対応する歪と応力の二次元数値列を生成して前記データベースに登録することを特徴とする材料データベース処理方法。
【０１１７】
（付記１９）
付記１１記載の材料データベース処理方法に於いて、前記登録ステップは、
前記クライアントからの登録要求に伴って材料物性の実測データとして実測特性グラフを含む画像データが入力された際に、前記画像データの編集処理によりグラフ曲線上の複数ポイントを示す二次元座標の数値列を生成する画像データ編集ステップと、
前記画像データ編集ステップで生成された二次元座標の数値列を演算処理等により他の物性データに変換した後に、誤差成分を除去して正しい数値列に修正して前記データベースに登録する実測データ加工ステップと、
を備えたことを特徴とする材料データベース処理方法。
【０１１８】
（付記２０）
付記１１記載の材料データベース処理方法に於いて、前記検索ステップは、前記データベースから検索された材料物性値の単位をクライアント側で指定した単位に変換して検索結果を出力する単位系変換ステップを備えたことを特徴とする材料データベース処理方法。
【０１１９】
（付記２１）
サーバを構成するコンピュータに、
外部からの登録要求に伴って入力された材料物性情報をテキスト形式に変換して前記データベースに登録する登録ステップと、
外部からの検索要求に基づき前記データベースから材料物性情報を検索し、検索結果をテキスト形式又は前記検索要求で指定されたデータ形式に変換して出力する検索ステップ部と、
を実行させることを特徴とするプログラム。（５）
【０１２０】
（付記２２）
付記２１記載のプログラムに於いて、前記登録ステップは前記データベースに登録する１つの材料物性情報として、材料を特定する基本情報、材料の機械的性質、材料の電気的性質を含み、更に、前記基本情報として、登録者氏名、登録日、材料名、単位系、元素記号、出典を含むことを特徴とするプログラム。
【０１２１】
（付記２３）
付記２１記載のプログラムに於いて、前記登録ステップは前記データベースに登録する１つの材料物性情報として、更に、情報の信頼度を確定する登録者以外の第三者が入力した認証情報を含むことを特徴とするプログラム。
【０１２２】
（付記２４）
付記２１記載のプログラムに於いて、
前記検索ステップは、前記データベースから材料物性値を検索した際に、検索された材料物性情報のテキスト形式を検索要求を行ったクライアント側で使用する数値解析処理のデータ形式に変換して出力し、
前記登録ステップは、クライアント側で使用する数値解析処理で作成されたデータ形式の材料物性情報をテキスト形式に変換して前記データベースに登録することを特徴とするプログラム。
【０１２３】
（付記２５）
付記２１記載のプログラムに於いて、前記登録ステップは、前記クライアントからの登録要求に伴って材料物性値の特性グラフを含む画像データが入力された際に、前記画像データの編集処理によりグラフ曲線上の複数ポイントを示す二次元座標の数値列を生成して前記データベースに登録する画像データ編集ステップを備えたことを特徴とするプログラム。
【０１２４】
（付記２６）
付記２５記載のプログラムに於いて、前記画像データ編集ステップは、前記クライアントで画面表示された画像データ中のグラフ曲線をなぞる編集入力に基づいて近似グラフ曲線を生成して補正した後にクライアント側でのグラフ曲線上の基準点の指定入力に基づいて二次元座標軸を設定し、Ｘ軸又はＹ軸上で等間隔に指定した補間間隔に対応したグラフ曲線上の複数ポイントの二次元座標値の数値列を生成して前記データベースに登録することを特徴とするプログラム。
【０１２５】
（付記２７）
付記２１記載のプログラムに於いて、前記登録ステップは、前記クライアントからの登録要求に伴って二次元数値列による材料物性値の実測データが入力された際に、入力された実測データを演算処理等によりデータ変換した後に、測定に起因した誤差成分を除去して正しい実測データに修正する実測データ加工ステップを備えたことを特徴とするプログラム。
【０１２６】
（付記２８）
付記２７記載のプログラムに於いて、前記登録ステップは、前記クライアントから材料試験片の荷重とストロークからなる二次元数値列の実測データが入力された際に、前記材料試験片における厚みと標点間距離を入力して歪と応力の二次元数値列に変換してクライアント側にグラフ曲線を画像表示し、前記グラフ曲線上の開始点の指定入力に基づいて補正歪と補正応力の二次元数値列を求めて前記歪と応力の二次元数値列を補正することにより真歪と真応力の二次元数値列を生成し、更に真歪と真応力の二次元数値列に基づく特性グラフをクライアント側に画像表示し、画像表示されたグラフ曲線上の複数のポイント指定入力に対応する歪と応力の二次元数値列を生成して前記データベースに登録することを特徴とするプログラム。
【０１２７】
（付記２９）
付記２１記載のプログラムに於いて、前記登録ステップは、
前記クライアントからの登録要求に伴って材料物性の実測データとして実測特性グラフを含む画像データが入力された際に、前記画像データの編集処理によりグラフ曲線上の複数ポイントを示す二次元座標の数値列を生成する画像データ編集ステップと、
前記画像データ編集ステップで生成された二次元座標の数値列を演算処理等によりデータ変換した後に、誤差成分を除去して正しい数値列に修正して前記データベースに登録する実測データ加工ステップと、
を備えたことを特徴とするプログラム。
【０１２８】
（付記３０）
付記２１記載のプログラムに於いて、前記検索ステップは、前記データベースから検索された材料物性値の単位をクライアント側で指定した単位に変換して検索結果を出力する単位変換ステップを備えたことを特徴とするプログラム。
【図面の簡単な説明】
【０１２９】
【図１】本発明の原理説明図
【図２】本発明による材料データベース処理システムの実施形態を示したブロック図
【図３】図２のサーバ及びクライアントに使用されるコンピュータのハードウェア資源のブロック図
【図４】図２の材料データベースに登録された材料物性データの説明図
【図５】サーバに対するユーザ登録画面の説明図
【図６】図２の材料物性データ登録のためのサーバとクライアントの処理を示したフローチャート
【図７】サーバにアクセスする際のログイン画面の説明図
【図８】材料物性情報についての登録入力画面の説明図
【図９】図８に続く登録入力画面の説明図
【図１０】図９に続く登録入力画面の説明図
【図１１】図１０に続く登録入力画面の説明図
【図１２】図２の材料物性データ検索のためのサーバとクライアントの処理を示したフローチャート
【図１３】材料物性情報に対する検索入力画面の説明図
【図１４】図１３の検索要求に対する材料物性情報の検索出力画面の説明図
【図１５】図２のサーバにおける単位系変換処理のフローチャート
【図１６】図１５で処理されたＭＫＳ／ＳＩ単位系変換データの説明図
【図１７】図２のサーバにおける他の単位系変換処理のフローチャート
【図１８】図１７で処理された単位統一データの説明図
【図１９】図２のサーバにおけるフォーマット変換処理のフローチャート
【図２０】材料物性データを本発明におけるテキスト形式と数値解析ツール側のフォーマット形式で示した説明図
【図２１】図２のサーバにおける画像データ編集処理のフローチャート
【図２２】図２１によりグラフ画像データから二次元数値列を生成する編集処理の説明図
【図２３】図２のサーバにおける実測データ加工処理のフローチャート
【図２４】図２３による実測データの加工処理の内容を示した説明図
【図２５】図２４に続く加工処理の内容を示した説明図
【符号の説明】
【０１３０】
１０：サーバ
１２：クライアント
１４：ネットワーク
１６：通信制御部
１８：データベース処理部
２０：材料データベース
２２：登録部
２４：検索部
２６：画像データ編集部
２８：実測データ加工部
３０：第２フォーマット変換部
３２：単位系変換部
３４：第１フォーマット変換部
３６：ＷＷＷブラウザ
３８：数値解析ツール
４０：材料物性データ
４２：基本情報
４４：機械的性質
４６：電気的性質
４８：その他の性質
５０：ユーザ登録画面
５２：ログイン画面
５４−１〜５４−３：登録入力画面
５６：検索入力画面
５８：検索出力画面
６０：ＭＫＳ／ＳＩ単位系変換データ
６２：単位統一データ
６４：テキスト形式データ
６６：ＡＢＡＱＵＳ変換フォーマットデータ
６８：ＬＳ−ＤＹＮＡ変換フォーマットデータ
７０：ＡＤＩＮＡ変換フォーマットデータ
７２：入力画像データ
７４：グラフ曲線
７５，８６：ゼロ点
７６：補正済みグラフ曲線
７８：二次元数値列
８０：初期入力データ（実測データ）
８２：変換データ
８４，９４，９８：グラフ表示
８５，９６：グラフ曲線
１００：二次元数値列
【図１】
2005250527.tif 000003
【図２】
2005250527.tif 000004
【図３】
2005250527.tif 000005
【図４】
2005250527.tif 000006
【図５】
2005250527.tif 000007
【図６】
2005250527.tif 000008
【図７】
2005250527.tif 000009
【図８】
2005250527.tif 000010
【図９】
2005250527.tif 000011
【図１０】
2005250527.tif 000012
【図１１】
2005250527.tif 000013
【図１２】
2005250527.tif 000014
【図１３】
2005250527.tif 000015
【図１４】
2005250527.tif 000016
【図１５】
2005250527.tif 000017
【図１６】
2005250527.tif 000018
【図１７】
2005250527.tif 000019
【図１８】
2005250527.tif 000020
【図１９】
2005250527.tif 000021
【図２０】
2005250527.tif 000022
【図２１】
2005250527.tif 000023
【図２２】
2005250527.tif 000024
【図２３】
2005250527.tif 000025
【図２４】
2005250527.tif 000026
【図２５】
2005250527.tif 000027